(57)【要約】【課題】カラオケにおける替え歌の歌詞作成を容易に実現する。【解決手段】本発明に係る情報処理装置は、ログインしたユーザに対応するＳＮＳサービスから、当該ユーザに関連するＳＮＳ情報を取得する取得処理と、楽曲を指定する楽曲指定処理と、楽曲指定処理にて指定された楽曲に対応する歌詞情報中の置き換え箇所を、取得したＳＮＳ情報で置き換えて替え歌歌詞情報を作成する置換処理と、指定された楽曲に対応する演奏情報を演奏手段に演奏させるとともに、指定された楽曲に対する替え歌歌詞情報を表示手段に表示させる楽曲再生処理と、を実行可能な制御手段を備えることを特徴とする。【選択図】図１０
2015049275.tif 000002
【特許請求の範囲】
【請求項１】
ユーザをログインさせるログイン処理と、
ログインしたユーザに対応するＳＮＳサービスにおいて、当該ユーザに関連するＳＮＳ情報を取得する取得処理と、
楽曲を指定する楽曲指定処理と、
楽曲指定処理にて指定された楽曲に対応する歌詞情報中の置き換え箇所を、取得したＳＮＳ情報から抽出した抽出情報で置き換えて替え歌歌詞情報を作成する置換処理と、
指定された楽曲に対応する演奏情報を演奏手段に演奏させるとともに、指定された楽曲に対する替え歌歌詞情報を表示手段に表示させる楽曲再生処理と、を実行可能な制御手段を備えることを特徴とする
カラオケ装置。
【請求項２】
置換処理は、歌詞情報中の置き換え箇所を、当該置き換え箇所に設定されたフラグと、同じあるいは同種のフラグを有する抽出情報に置き換えることを特徴とする
請求項１に記載のカラオケ装置。
【請求項３】
楽曲指定処理は、少なくとも置き換え箇所の一部が、取得したＳＮＳ情報中の抽出情報にて置き換え可能な楽曲を、候補楽曲として抽出することを特徴とする
請求項２に記載のカラオケ装置。
【請求項４】
ログイン処理は、複数のユーザをログイン可能とし、
置換処理は、ログインしている複数のユーザ間で関連する抽出情報に基づいて替え歌歌詞情報を作成することを特徴とする
請求項１から請求項３の何れか１項に記載のカラオケ装置。
【請求項５】
置換処理は、ログインしている複数のユーザ間で関連する抽出情報中、リンク数の多い抽出情報に基づいて替え歌歌詞情報を作成することを特徴とする
請求項４に記載のカラオケ装置。
【請求項６】
ユーザをログインさせるログイン処理と、
ログインしたユーザに対応するＳＮＳサービスにおいて、当該ユーザに関連するＳＮＳ情報を取得する取得処理と、
楽曲を指定する楽曲指定処理と、
楽曲指定処理にて指定された楽曲に対応する歌詞情報中の置き換え箇所を、取得したＳＮＳ情報から抽出した抽出情報で置き換えて替え歌歌詞情報を作成する置換処理と、
指定された楽曲に対応する演奏情報を演奏手段に演奏させるとともに、指定された楽曲に対する替え歌歌詞情報を表示手段に表示させる楽曲再生処理と、をコンピュータに実行させることを特徴とする
カラオケ用プログラム。
【発明の詳細な説明】
【技術分野】
【０００１】
本発明は、伴奏にあわせて歌唱を楽しむカラオケ装置、並びに、コンピュータなどの情報処理装置で実行されることでカラオケ装置と同様の機能を実現可能なカラオケ用プログラムに関するものである。
【背景技術】
【０００２】
従来、スナックやカラオケボックスなどにおいて歌唱を楽しむカラオケは、一緒に同席する仲間等と社交の場を形成するものとして知られている。カラオケ行うためのカラオケ装置は演奏情報に基づく自動演奏を行うことで、歌唱するための伴奏音をスピーカから放音する。また、カラオケ装置では、自動演奏に同期した歌詞をモニタなどの表示手段に対して表示することで歌唱補助を行うことが知られている。
【０００３】
ところで、複数のユーザが集う中、学校や職場などの共通する話題に基づいて替え歌を楽しむことが行われている。このような場合、表示手段に表示されるオリジナルの歌詞を無視して、ユーザが作成した歌詞が歌唱されるものであった。
【０００４】
引用文献１には、替歌歌詞の文字数に拘わらず、楽曲に適するように替え歌の歌詞を割り当てる歌詞割当装置が開示されている。このような歌詞割当装置によれば、作詞作曲の専門知識を有していない一般の利用者であっても、楽曲に適するように替え歌の歌詞を割り当てることが可能となる。
【先行技術文献】
【特許文献】
【０００５】
【特許文献１】特開２００６−１７８２４６号公報
【発明の概要】
【発明が解決しようとする課題】
【０００６】
特許文献１に開示されるような従来の替え歌作成の場においては、ユーザがその場に集うユーザとの関係を考慮して、替え歌のための語句を選定し、オリジナルの歌詞と置き換えるものであった。そのため、替え歌の作成に不慣れなユーザにとって、また、その場に集うユーザ間の関係が把握しづらい場合には、替え歌を作成することは困難であった。本発明は、このような状況を鑑みたものであって、替え歌の作成に不慣れなユーザであっても、カラオケの場に集うユーザに関連する情報に基づく替え歌の作成、歌唱を可能とすることを目的とするものである。
【課題を解決するための手段】
【０００７】
上述する課題を解決するため、本発明に係るカラオケ装置は以下の構成を採用するものである。
ユーザをログインさせるログイン処理と、
ログインしたユーザに対応するＳＮＳサービスにおいて、当該ユーザに関連するＳＮＳ情報を取得する取得処理と、
楽曲を指定する楽曲指定処理と、
楽曲指定処理にて指定された楽曲に対応する歌詞情報中の置き換え箇所を、取得したＳＮＳ情報から抽出した抽出情報で置き換えて替え歌歌詞情報を作成する置換処理と、
指定された楽曲に対応する演奏情報を演奏手段に演奏させるとともに、指定された楽曲に対する替え歌歌詞情報を表示手段に表示させる楽曲再生処理と、を実行可能な制御手段を備えることを特徴とする。
【０００８】
さらに本発明に係るカラオケ装置において、
置換処理は、歌詞情報中の置き換え箇所を、当該置き換え箇所に設定されたフラグと、同じあるいは同種のフラグを有する抽出情報に置き換えることを特徴とする。
【０００９】
さらに本発明に係るカラオケ装置において、
楽曲指定処理は、少なくとも置き換え箇所の一部が、取得したＳＮＳ情報中の抽出情報にて置き換え可能な楽曲を、候補楽曲として抽出することを特徴とする。
【００１０】
さらに本発明に係るカラオケ装置において、
ログイン処理は、複数のユーザをログイン可能とし、
置換処理は、ログインしている複数のユーザ間で関連する抽出情報に基づいて替え歌歌詞情報を作成することを特徴とする。
【００１１】
さらに本発明に係るカラオケ装置において、
置換処理は、ログインしている複数のユーザ間で関連する抽出情報中、リンク数の多い抽出情報に基づいて替え歌歌詞情報を作成することを特徴とする。
【００１２】
また本発明に係るカラオケ用プログラムは、
ユーザをログインさせるログイン処理と、
ログインしたユーザに対応するＳＮＳサービスにおいて、当該ユーザに関連するＳＮＳ情報を取得する取得処理と、
楽曲を指定する楽曲指定処理と、
楽曲指定処理にて指定された楽曲に対応する歌詞情報中の置き換え箇所を、取得したＳＮＳ情報から抽出した抽出情報で置き換えて替え歌歌詞情報を作成する置換処理と、
指定された楽曲に対応する演奏情報を演奏手段に演奏させるとともに、指定された楽曲に対する替え歌歌詞情報を表示手段に表示させる楽曲再生処理と、をコンピュータに実行させることを特徴とする。
【発明の効果】
【００１３】
本発明に係るカラオケ装置、及び、カラオケ用プログラムによれば、ＳＮＳサービスからログインしたユーザに関連するＳＮＳ情報を取得して、替え歌作成に使用するため、替え歌作成に不慣れなユーザであっても替え歌の作成、歌唱を楽しむことが可能となる。また、ＳＮＳ情報を使用して作成された替え歌は表示手段に表示され、歌唱補助に使用することが可能となる。
【００１４】
さらに本発明に係るカラオケ装置では、歌詞情報中の語句を、当該歌詞情報中の語句に設定されたフラグ種別と同じフラグ種別のＳＮＳ情報に置き換えることで、作成された替え歌を言語上、あるいは、文脈上、違和感の無いものにすることが可能となる。
【００１５】
さらに本発明に係るカラオケ装置では、取得したＳＮＳ情報に基づいて、替え歌歌詞情報を作成可能な楽曲を抽出することで、置き換えるＳＮＳ情報が不足している楽曲など、未完成状態の替え歌歌詞情報となることを抑制することが可能となる。
【００１６】
さらに本発明に係るカラオケ装置では、ログインしている複数のユーザ間で関連するＳＮＳ情報を使用して替え歌歌詞情報を作成することで、ユーザ間で共通する話題に関する替え歌を楽しむことが可能となる。
【００１７】
さらに本発明に係るカラオケ装置では、複数のログインユーザ間で関連するＳＮＳ情報中、リンク数の多いＳＮＳ情報を使用することで、ユーザ間の話題性に富んだ替え歌を楽
しむことが可能となる。
【図面の簡単な説明】
【００１８】
【図１】本発明の実施形態に係るカラオケシステムを示す図
【図２】本発明の実施形態に係るトップ画面を示す図
【図３】本発明の実施形態に係るユーザ情報を示す図
【図４】本発明の実施形態に係るユーザに対するサービス処理を示す図
【図５】本発明の実施形態に係る利用ユーザトップ画面を示す図
【図６】本発明の実施形態に係る楽曲確認画面を示す図
【図７】本発明の実施形態に係る楽曲指定処理を示すフロー図
【図８】本発明の実施形態に係る替え歌楽曲選択画面を示す図
【図９】本発明の実施形態に係るＳＮＳサービスにおけるＳＮＳ情報の関係を示す図
【図１０】本発明の実施形態に係るＳＮＳ情報による替え歌作成例を説明するための図
【図１１】本発明の実施形態に係る替え歌歌詞確認画面を示す図
【図１２】本発明の実施形態に係る替え歌歌詞作成画面を示す図
【発明を実施するための形態】
【００１９】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２０】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのインターフェイス部２４を備えている。
【００２１】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。
【００２２】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。また、カラオケ装置２に対する各種操作は、カラオケ装置２のフロントパネル等に設けられた操作部２１を介して行うことも可能となっている。
【００２３】
本実施形態のタッチパネルモニタ３３は、リモコン装置１の操作手段と同様の操作手段として機能することも可能としている。ユーザはタッチパネルモニタ３３から楽曲を選択して、直接カラオケ装置２に予約をさせるなど、リモコン装置１と同等の操作手段機能を
利用することが可能である。
【００２４】
さらに、カラオケ装置２は、各構成を統括して制御するための制御手段として、ＣＰＵにて構成される制御部３０、各種プログラムを実行するにあたって必要となる情報を一時記憶するためのメモリ２７を備えて構成される。
【００２５】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。楽曲再生処理は、予約された楽曲を再生させる処理であって、演奏処理と歌詞再生処理とが同期して実行される処理である。
【００２６】
演奏処理は、楽曲データに含まれる演奏データを音響制御部７０にて演奏させる処理である。音響制御部７０にて演奏された楽曲は、歌唱用マイク４４ａ、４４ｂから入力される歌唱音声と一緒にスピーカー４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００２７】
一方、リモコン装置１は、予約情報などカラオケ装置２に対して各種指示を送信するとともに、カラオケ装置２あるいはインターネット上に接続されたカラオケ用ホスト（図示せず）から各種情報を受信する。本実施形態では、ユーザインタフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２８】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。
【００２９】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３０】
このようなリモコン装置１の構成により、ユーザからの各種入力を操作部１７にて受付けるとともに、映像情報を表示部１１に表示してユーザに対して各種情報を提供するとともに、カラオケ装置２に対して楽曲予約などの各種指示を送信することが可能とされている。
【００３１】
図２は、本発明の実施形態に係るトップ画面、すなわち、リモコン装置１を起動した直後の画面を示す図である。本実施形態では、リモコン装置１の表示部１１に表示を行うことで、リモコン装置１を操作するユーザに対して各種情報を提供する。なお、リモコン装置１の操作部１７としては、カーソルキーなどの各種機械的なスイッチの他、表示部１１
に表示されたボタン、アイコンなどを直接タッチして操作を行うタッチパネルを採用することができる。
【００３２】
本実施形態のカラオケシステムは、複数のユーザが各リモコン装置１のタッチパネル表示画面から必要な情報（後述するユーザ識別情報やパスワード）を入力し、ログインすることが可能となっている。ユーザのログインに関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００３３】
また、アカウントを有していないユーザのためのゲストアイコン１０２、ユーザを切り替えるためのユーザ切替スイッチ１０１が表示されている。ログインしたユーザは、ログインユーザ欄１０３に表示される分身像を選択、あるいは、ユーザ切替スイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切替の際には、パスワードなど認証を行うこととしてもよいが、認証を行うことなく簡易に切り替えることとしてもよい。
【００３４】
図３は、各ユーザ毎に、ホスト５に記憶されているユーザ情報を説明するための図である。本実施形態では、ユーザ情報として、個人情報、マイうたテーブル、マイアーティストテーブルといった、ユーザに関する各種情報を含んで構成される。ユーザ情報は、カラオケ用ホストの記憶部に予め記憶されている。また、ユーザ情報には、ユーザがリモコン装置１からカラオケ用ホスト５へログインしてこれら情報を利用するためのユーザ識別情報、パスワードが対応付けられている。個人情報には、ユーザ名（実際の名前に限ったものでなく、ニックネームであってもよい）、性別、年齢、うた年齢、居住地、趣味などを含んで構成される。これら各種情報は、リモコン装置１、あるいは、インターネットなどのネットワークに接続された図示しないパーソナルコンピュータ、携帯情報端末などにてログインして設定することも可能である。リモコン装置１とカラオケ装置２との対応付け（通称、くくりつけ）が、予め完了されていれば、リモコン装置１の操作部１７から入力された各種情報をカラオケ装置２へ送付し、カラオケ装置２からホスト５へログインしてもよい。
【００３５】
特に、本実施形態の個人情報には、歌唱状況をソーシャルネットワークサイトサービス（以下、「ＳＮＳサービス」と略して表記する）に投稿するため、当該ＳＮＳサービスのアカウント情報が含まれている。このアカウント情報には、ＳＮＳサービスにおけるユーザ識別情報（ＳＮＳ_ＩＤ）と、ログインするためのパスワード（ＳＮＳ_パスワード）を含んで構成されている。この本実施形態のように、個人情報にＳＮＳサービスのアカウント情報を登録している場合、リモコン装置１、又はカラオケ装置２からホスト５へのログインすると、ホスト５においては、ログインしたユーザのユーザ情報から、ＳＮＳサービスのアカウント情報を抽出する。そして抽出したＳＮＳサービスのアカウント情報と、ログインの認証結果（許可）とが、ログインしたユーザが使用するリモコン装置１やカラオケ装置２へ送付されるため、リモコン装置１、又はカラオケ装置２から、楽曲の予約、演奏とともに、抽出されたアカウント情報に基づいてＳＮＳサービスにもログインしてメッセージを投稿、並びに、返信の受信を行うことが可能となる。ＳＮＳサービスとしては、現在、Ｔｗｉｔｔｅｒ、Ｆａｃｅｂｏｏｋ（両方とも登録商標）など、複数のＳＮＳサービスが提供されている。
【００３６】
この場合、リモコン装置１、又はカラオケ装置２から、インターネットを介してＳＮＳサービスサーバ３００へログインを行ない、ＳＮＳサービスにおけるＳＮＳ情報を取得す
る。他には、カラオケ用ホスト５の制御手段（図示せず）が、以下に示す処理手順を実行することで、自身にログインしたリモコン装置１やカラオケ装置２のログインユーザに対応付けられたＳＮＳサービスにおけるＳＮＳ情報を、ＳＮＳサービス事業者から取得して転送してもよい。
具体的には、
（１）カラオケ用ホスト５は、抽出したログインユーザのＳＮＳのアカウント情報をインターネットを介してＳＮＳサービスサーバ３００に送出する。
（２）カラオケ用ホスト５は、ＳＮＳサービスサーバ３００にログインし、カラオケ用ホスト５にログインしたログインユーザの、ＳＮＳサービスにおけるＳＮＳ情報を取得する。
（３）カライケ用ホスト５は、自身にログインした該当のリモコン装置１やカラオケ装置２に対し、ＳＮＳサービスにおけるＳＮＳ情報を転送する。
（４）リモコン装置１やカラオケ装置２はログインしたカラオケ用ホスト５からＳＮＳサービスにおけるＳＮＳ情報を取得する。
【００３７】
本実施形態のカラオケ装置２では、複数のＳＮＳサービスを利用可能としてもよい。その場合、個人情報には、ＳＮＳサービス毎にアカウント情報が記憶され、登録している全てのＳＮＳサービス、もしくは、ユーザによって選択されたＳＮＳサービスに対して投稿が実行される。また、ユーザによってはカラオケサービスで使用するユーザ情報中にＳＮＳサービスのアカウント情報（特に、パスワード）を記憶させたくない場合もある。そのような場合には、カラオケシステムにログインする毎に、ＳＮＳサービスでのユーザ識別情報及びパスワード、また、個人情報にＳＮＳサービスのユーザ識別情報が登録されている場合には、ＳＮＳサービスのパスワードの入力を促し、ＳＮＳサービスへログインさせることとしてもよい。
【００３８】
マイうたテーブルは、ユーザによって登録された楽曲を記憶するテーブルであって、楽曲識別情報、音程調整値、過去の歌唱採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００３９】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００４０】
履歴テーブルは、ユーザが過去に演奏した楽曲に関する各種情報を記録した情報であって、本実施形態では、過去に演奏した（当該ユーザが予約、演奏した）楽曲について、楽曲の楽曲識別情報、演奏した日時を示す歌唱日時、採点情報などを含んで構成されている。ユーザは、この履歴テーブルに基づいて、過去に演奏した楽曲を呼び出して歌唱することができる。
【００４１】
図４は、このユーザ情報の送受信の様子を示した図である。カラオケ店舗に来店したユーザは、自己のユーザ識別情報とパスワードで構成された識別情報を入力、あるいは、リモコン装置１などに設けられたＩＣカードリーダーでＩＣカードに記憶されている識別情報を読み取らせることで認証処理Ｓ１０１を実行する。ユーザの識別情報を読み取った、カラオケ装置２あるいはリモコン装置１は、識別情報をカラオケ用ホスト５に送信し（Ｓ１０２）、識別情報を受信したカラオケ用ホスト５は記憶部５１に記憶されたデータベースから、該当するユーザのユーザ情報を抽出し（Ｓ１２１）、問い合わせのあったカラオ
ケ装置２あるいはリモコン装置１に対して送信する（Ｓ１２２）。
【００４２】
ユーザ情報を受信したカラオケ装置２側では（Ｓ１０３）、受信したユーザ情報に基づいて、選曲処理、演奏処理など各種サービス処理が提供される（Ｓ１０４）。ユーザによりログアウトが要求される（Ｓ１０５）とサービス処理を中断し、サービス処理中における各種履歴（ログ）、あるいは、ユーザによる設定変更を反映したユーザ情報をカラオケ用ホスト５に送信する（Ｓ１０６）。ここで、ユーザ情報は、全ての情報を送信することの他、更新された差分だけを送信してもよい。ユーザ情報を受信したカラオケ用ホスト５では（Ｓ１２３）、受信したユーザ情報に基づいて記憶部１に記憶されたデータベースの更新を実行する（Ｓ１２４）。
【００４３】
以上、１ユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっており、図２で説明したユーザインターフェイスを用いることで、サービスを提供するユーザ（以下、「アクティブユーザ」という）を切り替えて使用することが可能となっている。
【００４４】
図５は、本発明の実施形態に係るアクティブユーザトップ画面を示す図である。この図に示されるように、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、従来の歌本と同様、歌手名、楽曲名に基づく検索を行うことができる。
【００４５】
アクティブユーザとして楽曲を選択した場合、図６に示される楽曲確認画面にて、予約を行う楽曲に間違いがないか、楽曲名、歌手名、歌い出しなどを表示してユーザに確認させる。このとき、選択した楽曲に対して自分の歌唱できる音程（キー）が予め分かっている場合には、「音程設定」を変更することで演奏する際の音程調整値を設定することが可能となっている。キー設定右下の「変更」ボタンを操作することで、音程設定用の画面が表示され音程調整値を設定することができる。
【００４６】
この楽曲確認画面にて「予約」ボタンが操作されると、リモコン装置１からカラオケ装置２に対してユーザ識別情報、楽曲識別情報、音程調整値などを含む予約情報が送信される。受信したカラオケ装置２では、予約情報を予約テーブルに順次追加して、演奏処理を実行する。
【００４７】
図７には、本発明の実施形態に係るカラオケ装置２で実行される楽曲指定処理を示すフロー図が示されている。カラオケ装置２の電源投入後、楽曲指定処理が開始されると、まず、リモコン装置１を使用して楽曲を指定（予約）使用としているアクティブユーザが、ＳＮＳサービスを利用しているか否かが判定される。この判定は、アクティブユーザのユーザ情報中に記憶されるＳＮＳサービスのアカウント情報の有無によって判定される。
【００４８】
アクティブユーザがＳＮＳサービスを利用している場合（Ｓ２０１：Ｙｅｓ）には、図５のアクティブユーザトップ画面に「ＳＮＳ替え歌選曲」と表記のあるメニューが表示され、アクティブユーザは、このメニューを選択することで、ＳＮＳサービス中にて使用される各種の語句で構成されたＳＮＳ情報を使用した替え歌を選挙することが可能となる。一方、アクティブユーザがＳＮＳサービスを利用していない場合には、アクティブユーザトップ画面には「ＳＮＳ替え歌選曲」のメニューは表示されず、ユーザは替え歌楽曲の選
択することができない。このような形態に代え、ユーザ入力による替え歌の歌詞作成の補助機能として、ＳＮＳ情報を利用した替え歌の歌詞作成機能を設けることとしてもよい。そのような形態では、ＳＮＳ情報を利用した歌詞作成機能を使用する場合、ＳＮＳサービスへのログイン環境が必要となる。
【００４９】
したがって、ＳＮＳサービスを利用しているアクティブユーザは、「ＳＮＳ替え歌選曲」を選択することが可能となり、アクティブユーザによって「ＳＮＳ替え歌選曲」が選択された場合（Ｓ２０２：Ｙｅｓ）、Ｓ２０４〜Ｓ２０８の処理を実行することで、替え歌の対象楽曲の選択、替え歌の作成、予約が実行される。一方、アクティブユーザトップ画面中の「曲を探す」など、他のメニューによる選曲の場合には、通常指定処理（Ｓ２０９）が実行され、図６で説明したように楽曲の選択、予約が実行される。
【００５０】
「ＳＮＳ替え歌選曲」が選択された場合（Ｓ２０２）、リモコン装置１は、予約を行っているアクティブユーザ並びにログインしているユーザに関連するＳＮＳ情報を抽出する（Ｓ２０３）。図９には、ＳＮＳサービスにおけるＳＮＳ情報の関係が示されている。図の例では、ユーザＡ、Ｂ、Ｃがカラオケ装置２に同時にログインしているユーザであって、これらユーザはＳＮＳサービスのアカウントを有している。リモコン装置１は、これらユーザＡ、Ｂ、ＣのＳＮＳ情報、並びに、その関係性を取得する。本実施形態では、取得したＳＮＳ情報から替え歌の歌詞を作成するために適切な情報（抽出情報）を抽出する。
【００５１】
図９のＳＮＳ情報の関係例では、ユーザＡがアクティブユーザとして選曲を行っている場合である。ユーザＡ、Ｂ、Ｃは、互いに友達であって、同じ高校の出身であることが分かる。また、ユーザＡとユーザＣは、先月、京都に旅行していることが分かる。本実施形態では、ＳＮＳサービスからユーザに関連したＳＮＳ情報を取得し、ＳＮＳ情報から替え歌に適切な語句を抽出情報として抽出することで、ユーザに関連する替え歌の作成を行うこととしている。さらに、図９に示すように同時にログインしている、すなわち、同席しているユーザ間で共通するＳＮＳ情報を利用することで、カラオケの場に集ったユーザ間に適した替え歌を提供することが可能となる。なお、ＳＮＳ情報には、その語句の種別を示すフラグが付されてもよい。例えば、人名には人物フラグ、年代には時間フラグ、学校名には場所フラグあるいは学校フラグが付されている。このようなフラグを使用することで、替え歌作成時、オリジナル歌詞の適切な箇所にＳＮＳ情報を当てはめることが可能となる。なお、ＳＮＳサービスから取得したＳＮＳ情報にフラグが付されていない場合、カラオケシステム側で、辞書などを参照することで、取得した各ＳＮＳ情報にフラグを付すこととしてもよい。
【００５２】
楽曲指定処理では、カラオケ装置１で演奏可能な替え歌楽曲中、取得したＳＮＳ情報で替え歌を作成可能な楽曲を抽出し、楽曲名などをリモコン装置１のタッチパネルモニタ１１に表示する（Ｓ２０４）。図８には本発明の実施形態に係る替え歌楽曲選択画面が示されている。ユーザは、替え歌楽曲選択画面にて歌唱したい替え歌楽曲を選択することが可能である。ここで、替え歌を作成可能な楽曲について説明しておく。なお、各替え歌楽曲に対して表示されている「替え歌適合率」は、替え歌楽曲の置き換え箇所について、取得したＳＮＳ情報で置き換え可能な割合あるいは、当該割合とその適合度に基づいて算出される値であって、１００％を最大として表示される。本実施形態では、替え歌楽曲選択画面中、替え歌適合率の高い順に、歌唱候補となる替え歌楽曲を表示させている。
【００５３】
図１０には、本発明の実施形態に係るＳＮＳ情報による替え歌作成例が示されている。替え歌楽曲には、オリジナル歌詞中、各語句について、ＳＮＳ情報に置き換える箇所が指定されている。時間フラグ、場所フラグ、人物フラグが付されている箇所に対応する部分が、置き換え箇所に相当する。これらの置き換え箇所を、それに付されたフラグと同じ、もしくは、同種のフラグが付されたＳＮＳ情報に置き換えることで替え歌の歌詞が作成さ
れる。Ｓ２０４では、これらフラグが付された箇所を、取得したＳＮＳ情報で置き換え可能な替え歌楽曲を替え歌楽曲選択画面に表示させている。フラグに対応する箇所が全てＳＮＳ情報で置き換え可能な替え歌楽曲、あるいは、フラグに対応する箇所の一部分をＳＮＳ情報で置き換え可能な替え歌楽曲を替え歌が作成可能として判定される。
【００５４】
図８の替え歌楽曲選択画面にて、ユーザが何れかの楽曲を選択した場合（Ｓ２０５：Ｙｅｓ）、選択した替え歌楽曲について、ＳＮＳ情報から抽出された抽出情報で作成された替え歌の歌詞を表示し、ユーザにその内容を確認させる（Ｓ２０６）。図１１には、本発明の実施形態に係る替え歌歌詞確認画面が示されている。替え歌の歌詞の作成は、図１０に示されるように、オリジナル歌詞の置き換え箇所と同じ、あるいは、同種のフラグを有するＳＮＳ情報が抽出情報として抽出され、置き換え箇所に置き換えられることで行われる。その際、同じ置き換え箇所に複数のＳＮＳ情報の候補が存在する場合、ログインしている複数のユーザによるリンク数が多いＳＮＳ情報が抽出情報として抽出される。このようにリンク数が多いＳＮＳ情報を使用することで、カラオケに集うユーザ間で、より共通度の高い替え歌の歌詞が形成される。
【００５５】
図１１の替え歌歌詞確認画面で、ユーザは、「この歌詞で歌う」を操作することで、替え歌の歌詞の確認を行い（Ｓ２０７：Ｙｅｓ）、当該替え歌の歌詞による替え歌楽曲をカラオケ装置２に予約する。カラオケ装置２は、替え歌楽曲の楽曲識別情報、予約したユーザのユーザ識別情報、及び、ＳＮＳ情報で置き換えられた替え歌の歌詞を予約情報として、予約テーブルに登録し（Ｓ２０８）、一連の楽曲指定処理が終了する。
【００５６】
予約テーブルを管理するカラオケ装置２は、予約テーブル中、次に演奏すべき楽曲が有りと判定された場合、予約情報中、楽曲識別情報に該当する楽曲情報を読み出し、楽曲情報に含まれる演奏情報を演奏手段としての音響制御部７０に演奏させる。この演奏処理と同期して楽曲情報内の歌詞情報をモニタ４１に表示させる歌詞表示処理も実行される。また、替え歌楽曲の予約の場合、オリジナルの歌詞情報に代え、ＳＮＳ情報で置き換えられた替え歌の歌詞をモニタ４１に表示する歌詞表示処理を実行する。
【００５７】
以上、本実施形態のカラオケ装置２によれば、ログインしているユーザに関連するＳＮＳ情報を取得し、ＳＮＳ情報中、置き換え箇所に適切な語句を抽出情報として抽出し、置き換え箇所に置き換えることで、ユーザに関連する替え歌を容易に作成することを可能としている。さらに、複数のユーザが同時にログイン可能な環境下では、ログインしている複数のユーザ間で共通するＳＮＳ情報を使用することで、カラオケに集うユーザ間で共通の話題の替え歌を作成することが可能となる。
【００５８】
図１１で作成された替え歌の歌詞は、カラオケシステム側のみで作成することとしていたが、替え歌の作成にはユーザの選択、あるいは、ユーザ自身による入力を行わせることとしてもよい。図１２には、本発明の実施形態に係る替え歌歌詞作成画面が示されている。この替え歌歌詞作成画面は、図１１の替え歌歌詞確認画面に代わるものであって、図７のフロー図中、Ｓ２０６の処理に代えて実行表示される画面である。
【００５９】
この替え歌歌詞作成画面では、取得されたユーザに関連するＳＮＳ情報中、置き換え箇所に対応する候補を表示し、ユーザに選択させることとしている。また、適切な候補が無い場合、ユーザは「ｉｎｐｕｔ」と表示された項目を選択することで、ソフトキーボードによる入力を可能としている。複数の候補を表示する場合、複数のユーザによるリンク数が多いＳＮＳ情報を優先して表示する（上段に表示する）ことが好ましい。また、ＳＮＳ情報の候補が存在しない場合には、「ｉｎｐｕｔ」のみ表示しておき、ユーザに入力させることとしてもよい。このような形態では、全ての置き換え箇所をＳＮＳ情報で埋めることができない場合であっても、ユーザの入力により替え歌を作成することが可能となる。
また、替え歌作成に不慣れなユーザであっても、他の置き換え箇所の候補を手がかりとして、置き換え箇所を入力することが可能となる。
【００６０】
各置き換え箇所に対する候補の表示は、各置き換え箇所を選択することで、候補を選択させるドロップダウンメニューとしてもよいが、図１１に示すように、表示されている置き換え箇所に対する候補を表示しておくことが好ましい。図１１の例では、ユーザにより選択された候補が、反転表示（白抜きの文字）で表示されている。このように複数の候補を表示させたままユーザに選択、あるいは、入力させることで、歌詞の全体を通じて、適切な替え歌を作成することが可能となる。
【００６１】
この替え歌歌詞作成画面にて、替え歌の歌詞作成を終えたユーザは、「この歌詞で歌う」と表記されたボタンを操作することで、作成した替え歌歌詞による替え歌楽曲の予約を実行し、替え歌楽曲の歌唱を楽しむことが可能となる。
【００６２】
なお、本発明はこれらの実施形態のみに限られるものではなく、それぞれの実施形態の構成を適宜組み合わせて構成した実施形態も本発明の範疇となるものである。
【符号の説明】
【００６３】
１ａ、１ｂ…リモコン装置、１１…タッチパネルモニタ、１１ａ…表示部、１１ｂ…タッチパネル、１２…ビデオＲＡＭ、１３…映像制御部、１４…メモリ、１５…制御部、１６…無線ＬＡＮ通信部、１７…操作部、１８…操作処理部、１９…赤外線通信部、２…カラオケ装置（コマンダ）、２１…操作部、２２…操作処理部、２３…赤外線通信部、２４…ＬＡＮ通信部、２５…音響制御部、２７…メモリ、２８…ビデオＲＡＭ、２９…映像再生部、３０…制御部、３１…映像制御部、３２…ハードディスク、４１…モニタ、４２…スピーカ、４３…カメラ、４４ａ、４４ｂ…歌唱用マイク、１００…ＬＡＮ、１１０…アクセスポイント、１２０…ルータ、３００…ＳＮＳサービスサーバ
【図１】
2015049275.tif 000003
【図２】
2015049275.tif 000004
【図３】
2015049275.tif 000005
【図４】
2015049275.tif 000006
【図５】
2015049275.tif 000007
【図６】
2015049275.tif 000008
【図７】
2015049275.tif 000009
【図８】
2015049275.tif 000010
【図９】
2015049275.tif 000011
【図１０】
2015049275.tif 000012
【図１１】
2015049275.tif 000013
【図１２】
2015049275.tif 000014
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
ユーザをログインさせるログイン処理と、
ログインしたユーザに対応するＳＮＳサービスにおいて、当該ユーザに関連するＳＮＳ情報を取得する取得処理と、
楽曲を指定する楽曲指定処理と、
楽曲指定処理にて指定された楽曲に対応する歌詞情報中の置き換え箇所を、当該置き換え箇所に設定されたフラグと、同じあるいは同種のフラグを有し、かつ、取得したＳＮＳ情報から抽出した抽出情報で置き換えて替え歌歌詞情報を作成する置換処理と、
指定された楽曲に対応する演奏情報を演奏手段に演奏させるとともに、指定された楽曲に対する替え歌歌詞情報を表示手段に表示させる楽曲再生処理と、を実行可能な制御手段を備え、
楽曲指定処理は、少なくとも置き換え箇所の一部が、取得したＳＮＳ情報中の抽出情報にて置き換え可能な楽曲を、候補楽曲として抽出することを特徴とする
カラオケ装置。
【請求項２】
ログイン処理は、複数のユーザをログイン可能とし、
置換処理は、ログインしている複数のユーザ間で関連する抽出情報に基づいて替え歌歌詞情報を作成することを特徴とする
請求項１に記載のカラオケ装置。
【請求項３】
置換処理は、ログインしている複数のユーザ間で関連する抽出情報中、リンク数の多い抽出情報に基づいて替え歌歌詞情報を作成することを特徴とする
請求項２に記載のカラオケ装置。
【請求項４】
ユーザをログインさせるログイン処理と、
ログインしたユーザに対応するＳＮＳサービスにおいて、当該ユーザに関連するＳＮＳ情報を取得する取得処理と、
楽曲を指定する楽曲指定処理と、
楽曲指定処理にて指定された楽曲に対応する歌詞情報中の置き換え箇所を、当該置き換え箇所に設定されたフラグと、同じあるいは同種のフラグを有し、かつ、取得したＳＮＳ情報から抽出した抽出情報で置き換えて替え歌歌詞情報を作成する置換処理と、
指定された楽曲に対応する演奏情報を演奏手段に演奏させるとともに、指定された楽曲に対する替え歌歌詞情報を表示手段に表示させる楽曲再生処理と、をコンピュータに実行させ、
楽曲指定処理は、少なくとも置き換え箇所の一部が、取得したＳＮＳ情報中の抽出情報にて置き換え可能な楽曲を、候補楽曲として抽出することを特徴とする
カラオケ用プログラム。
【手続補正２】
【補正対象書類名】明細書
【補正対象項目名】０００７
【補正方法】変更
【補正の内容】
【０００７】
上述する課題を解決するため、本発明に係るカラオケ装置は以下の構成を採用するものである。
ユーザをログインさせるログイン処理と、
ログインしたユーザに対応するＳＮＳサービスにおいて、当該ユーザに関連するＳＮＳ情報を取得する取得処理と、
楽曲を指定する楽曲指定処理と、
楽曲指定処理にて指定された楽曲に対応する歌詞情報中の置き換え箇所を、当該置き換え箇所に設定されたフラグと、同じあるいは同種のフラグを有し、かつ、取得したＳＮＳ情報から抽出した抽出情報で置き換えて替え歌歌詞情報を作成する置換処理と、
指定された楽曲に対応する演奏情報を演奏手段に演奏させるとともに、指定された楽曲に対する替え歌歌詞情報を表示手段に表示させる楽曲再生処理と、を実行可能な制御手段を備え、
楽曲指定処理は、少なくとも置き換え箇所の一部が、取得したＳＮＳ情報中の抽出情報にて置き換え可能な楽曲を、候補楽曲として抽出することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１２
【補正方法】変更
【補正の内容】
【００１２】
また本発明に係るカラオケ用プログラムは、
ユーザをログインさせるログイン処理と、
ログインしたユーザに対応するＳＮＳサービスにおいて、当該ユーザに関連するＳＮＳ情報を取得する取得処理と、
楽曲を指定する楽曲指定処理と、
楽曲指定処理にて指定された楽曲に対応する歌詞情報中の置き換え箇所を、当該置き換え箇所に設定されたフラグと、同じあるいは同種のフラグを有し、かつ、取得したＳＮＳ情報から抽出した抽出情報で置き換えて替え歌歌詞情報を作成する置換処理と、
指定された楽曲に対応する演奏情報を演奏手段に演奏させるとともに、指定された楽曲に対する替え歌歌詞情報を表示手段に表示させる楽曲再生処理と、をコンピュータに実行させ、
楽曲指定処理は、少なくとも置き換え箇所の一部が、取得したＳＮＳ情報中の抽出情報にて置き換え可能な楽曲を、候補楽曲として抽出することを特徴とする。